(57)【特許請求の範囲】
【請求項１】
調理容器を載置するトッププレートと、
誘導磁界を発生して、前記調理容器を誘導加熱する加熱コイルと、
前記トッププレートの下面に設けられ各々所定の機能が割り当てられた複数の静電スイッチを含む操作部と、
前記操作部における前記複数の静電スイッチの下方に設けられ前記複数の静電スイッチをそれぞれ点灯する複数の第１の光源と、
前記静電スイッチが押されることにより入力された機能に応じて、前記加熱コイルに高周波電流を供給する加熱制御部と、
前記静電スイッチが押された場合に、前記静電スイッチが押されてから所定時間、前記静電スイッチの表示状態を変化させるように前記第１の光源を制御する表示制御部と、
を有し、
前記表示制御部は、
前記調理容器を前記加熱コイルにより加熱中に、前記複数の静電スイッチに対応する前記複数の第１の光源が点灯中に、前記静電スイッチが押されたとき、
押された前記静電スイッチに対応する前記第１の光源を消灯し、前記静電スイッチが押されてから所定時間経過後、押された前記静電スイッチの前記機能に応じた前記加熱制御部の動作に関わらず、消灯した前記第１の光源を再点灯するように前記第１の光源を制御する
ことを特徴とする誘導加熱調理器。
【請求項２】
前記誘導加熱調理器は、前記第１の光源と異なる色の光を照射する第２の光源をさらに含み、
前記表示制御部は、前記第１の光源により点灯中の前記静電スイッチが押されたとき、押された前記静電スイッチに対応する前記第１の光源を消灯し、押された前記静電スイッチに対応する前記第２の光源を点灯し、前記静電スイッチが押されてから所定時間経過後、点灯された前記第２の光源を消灯し、消灯された前記第１の光源を再点灯するように前記第１および第２の光源を制御することを特徴とする請求項１に記載の誘導加熱調理器。
【請求項３】
前記誘導加熱調理器は、
前記操作部における前記複数の静電スイッチの下方に設けられ前記複数の静電スイッチをそれぞれ点灯する複数の第２の光源と、
前記第１および第２の光源が照射する光を所定の位置に導く導光部とをさらに有し、
前記導光部は、前記第２の光源が照射する光を、前記第１の光源が照射する光が導かれる位置より少しずらした位置に導き、
前記表示制御部は、前記第１の光源により点灯中の前記静電スイッチが押されたとき、押された前記静電スイッチに対応する前記第１の光源を消灯し、押された前記静電スイッチに対応する前記第２の光源を点灯し、前記静電スイッチが押されてから所定時間経過後、点灯された前記第２の光源を消灯し、消灯された前記第１の光源を再点灯するように前記第１および第２の光源を制御することを特徴とする請求項１に記載の誘導加熱調理器。
【請求項４】
前記所定時間は、０．１秒〜２秒の間であることを特徴とする請求項１乃至３のいずれかに記載の誘導加熱調理器。
【発明の詳細な説明】
【技術分野】
【０００１】
本発明は、ガラストッププレート上に設けた静電スイッチを操作することによって調理容器を加熱する誘導加熱調理器に関する。
【背景技術】
【０００２】
近年、鍋などの調理容器を加熱コイルにより誘導加熱する誘導加熱調理器が広く普及している。この誘導加熱調理器は、使用者の指示に基づいて加熱コイルを制御するために、加熱の切／入や火力の上げ下げなどの所定の機能がそれぞれ割り当てられた複数のスイッチを備える。特許文献１には、トッププレートに静電スイッチを備え、トッププレート上からこの静電スイッチを操作することにより各加熱部の加熱制御を行う誘導加熱調理器が開示されている。この静電スイッチは、導電性の端子を介して、トッププレートの下方に設けられた制御部に電気的に接続される。使用者の指が静電スイッチに触れると、スイッチの電圧が変化し、制御部はこの電圧の変化に基づいてスイッチが押されたことを判断する。この静電スイッチには凹凸がないので、さっと拭くだけで汚れが落ち、手入れが簡単である。
【先行技術文献】
【特許文献】
【０００３】
【特許文献１】特許第３８９４０７８号公報
【発明の概要】
【発明が解決しようとする課題】
【０００４】
しかし、電磁調理器において、静電スイッチは押しても、その形状が変化しないため、使用者は押し下げたという感覚を得られない。このため、使用者にとって、電磁調理器が押圧操作を受け付けたかどうかが分かりにくいという問題があった。また、誤って隣のスイッチを押してしまった場合でも、使用者が誤操作に気付きにくいという問題もあった。これらの問題により、調理性能を損なってしまう場合もある。
【０００５】
また、本来静電スイッチは、タクトスイッチ等と比べると少ない力で押せばよいが、使用者は押し下げたという感覚を得られないため、無駄に力を入れて押してしまい、操作性が悪いものであった。
【０００６】
本発明は、前記課題を解決するもので、使用者が静電スイッチを押したときに、押し下げたという感覚（クリック感）に近い感覚を得ることができる誘導加熱調理器を提供することを目的とする。
【課題を解決するための手段】
【０００７】
本発明に係る誘導加熱装置は、調理容器を載置するトッププレートと、誘導磁界を発生して、調理容器を誘導加熱する加熱コイルと、トッププレートの下面に設けられ各々所定の機能が割り当てられた複数の静電スイッチを含む操作部と、操作部における複数の静電スイッチの下方に設けられ複数の静電スイッチをそれぞれ点灯する複数の第１の光源と、静電スイッチが押されることにより入力された機能に応じて、加熱コイルに高周波電流を供給する加熱制御部と、操作部上の静電スイッチが押された場合に、静電スイッチが押されてから所定時間、静電スイッチの表示状態を変化させるように第１の光源を制御する表示制御部と、を有することを特徴とする。
【０００８】
表示制御部は、調理容器を加熱コイルにより加熱中に点灯中の静電スイッチが押されたとき、押された静電スイッチに対応する第１の光源を消灯し、静電スイッチが押されてから所定時間経過後、押された静電スイッチの機能に応じた加熱制御部の動作に関わらず、消灯した第１の光源を再点灯するように第１の光源を制御する。
【０００９】
表示制御部は、点灯中の静電スイッチが押されたとき、押された静電スイッチに対応する光源の光量を増大し、静電スイッチが押されてから所定時間経過後、増大させた光量を元に戻すように光源を制御してもよい。
【００１０】
表示制御部は、点灯中の静電スイッチが押されたとき、押された静電スイッチに対応する光源の光量を減少し、静電スイッチが押されてから所定時間経過後、減少させた光量を元に戻すように光源を制御してもよい。
【００１１】
表示制御部は、点灯中の静電スイッチが押されてから所定時間、押された静電スイッチに対応する光源を点滅し、静電スイッチが押されてから所定時間経過後、点滅させた光源を点灯に戻すように光源を制御してもよい。
【００１２】
上記誘導加熱調理器は、第１の光源と異なる色の光を照射する第２の光源をさらに含み、表示制御部は、第１の光源により点灯中の静電スイッチが押されたとき、押された静電スイッチに対応する第１の光源を消灯し、押された静電スイッチに対応する第２の光源を点灯し、静電スイッチが押されてから所定時間経過後、点灯された第２の光源を消灯し、消灯された第１の光源を再点灯するように第１および第２の光源を制御してもよい。
【００１３】
上記誘導加熱調理器は、操作部における複数の静電スイッチの下方に設けられ複数の静電スイッチをそれぞれ点灯する複数の第２の光源と、第１および第２の光源が照射する光を所定の位置に導く導光部とをさらに有し、導光部は、第２の光源が照射する光を、第１の光源が照射する光が導かれる位置より少しずらした位置に導き、表示制御部は、第１の光源により点灯中の静電スイッチが押されたとき、押された静電スイッチに対応する第１の光源を消灯し、押された静電スイッチに対応する第２の光源を点灯し、静電スイッチが押されてから所定時間経過後、点灯された第２の光源を消灯し、消灯された第１の光源を再点灯するように第１および第２の光源を制御してもよい。
【００１４】
所定時間は、０．１秒〜２秒の間であってもよい。
【００１５】
本発明に係る他の誘導加熱装置は、調理容器を載置するトッププレートと、誘導磁界を発生して、調理容器を誘導加熱する加熱コイルと、トッププレートの下面に設けられ各々所定の機能が割り当てられた複数の静電スイッチを含む操作部と、操作部の下方に設けられ複数の静電スイッチをそれぞれ点灯する複数の光源と、静電スイッチが押されることにより入力された機能に応じて、加熱コイルに高周波電流を供給する加熱制御部と、操作部上の静電スイッチが押された場合に、静電スイッチが押されたとき、押されている静電スイッチの表示状態を変化させ、使用者が静電スイッチから指を離したとき、静電スイッチの表示状態を変化前に戻すように光源を制御する表示制御部と、を有することを特徴とする。
【００１６】
表示制御部は、静電スイッチが押されたとき、押された静電スイッチに対応する光源を消灯し、使用者が静電スイッチから指を離したとき、消灯した光源を再点灯するように光源を制御してもよい。
【００１７】
表示制御部は、静電スイッチが押されたとき、押された静電スイッチに対応する光源の光量を増大し、使用者が静電スイッチから指を離したとき、増大させた光量を元に戻すように光源を制御してもよい。
【００１８】
表示制御部は、静電スイッチが押されたとき、押された静電スイッチに対応する光源の光量を減少し、使用者が静電スイッチから指を離したとき、減少させた光量を元に戻すように光源を制御してもよい。
【００１９】
表示制御部は、静電スイッチが押されてから所定時間、押された静電スイッチに対応する光源を点滅し、使用者が静電スイッチから指を離したとき、点滅させた光源を点灯に戻すように光源を制御してもよい。
【００２０】
光源は、第１の光源と第１の光源と異なる色の光を照射する第２の光源を含み、表示制御部は、第１の光源により点灯中の静電スイッチが押されたとき、押された静電スイッチに対応する第１の光源を消灯し、押された静電スイッチに対応する第２の光源を点灯し、使用者が静電スイッチから指を離したとき、点灯された第２の光源を消灯し、消灯された第１の光源を再点灯するように光源を制御してもよい。
【００２１】
上記誘導加熱調理器は、光源が照射する光を所定の位置に導く導光部をさらに有し、記光源は、第１の光源と第２の光源を含み、導光部は、第２の光源が照射する光を、第１の光源が照射する光が導かれる位置より少しずらした位置に導き、表示制御部は、第１の光源により点灯中の静電スイッチが押されたとき、押された静電スイッチに対応する第１の光源を消灯し、押された静電スイッチに対応する第２の光源を点灯し、使用者が静電スイッチから指を離したとき、点灯された第２の光源を消灯し、消灯された第１の光源を再点灯するように光源を制御してもよい。
【００２２】
上記誘導加熱調理器は、音声を出力する音声出力部をさらに有し、制御部は、操作部上の静電スイッチが押された場合に、静電スイッチが押されたとき、音声を出力するように音声出力部を制御してもよい。
【発明の効果】
【００２３】
本発明の誘導加熱調理器によれば、使用者が静電スイッチを押したときに、押し下げたという感覚に近い感覚を得ることができるため、誤操作がなくなり、操作性も向上する。
【図面の簡単な説明】
【００２４】
【図１】本発明の実施形態１による誘導加熱調理器の構成図
【図２】本発明の実施形態１による誘導加熱調理器のトッププレートの上面図
【図３】本発明の実施形態１の誘導加熱調理器による光源制御処理を示すフローチャート
【図４】本発明の実施形態２による誘導加熱調理器の構成図
【図５】本発明の実施形態３による誘導加熱調理器の構成図
【図６】本発明の実施形態３による誘導加熱調理器の導光部及びスイッチの上面図
【図７】本発明の実施形態３の誘導加熱調理器による光源制御処理を示すフローチャート
【図８】本発明の実施形態３による誘導加熱調理器の操作部のスイッチの表示例を示す図
【発明を実施するための形態】
【００２５】
以下に、本発明の実施形態について、図面を参照しながら説明する。なお、以下の各実施形態において、同じ構成要素については同じ番号を付している。
【００２６】
実施形態１
［誘導加熱調理器の構成］
図１に本発明の実施形態１による誘導加熱調理器の構成を示す。本実施形態の誘導加熱調理器は、ガラスなどの電気絶縁物からなり、光を透過する結晶化セラミック製のトッププレート１と、トッププレート１の下方に設けられた加熱コイル７と、加熱コイル７の下方に設けられた制御部８と、を有する。加熱コイル７は、トッププレート１に載置された調理容器５を誘導加熱により加熱する。
【００２７】
本実施形態の誘導加熱調理器は、トッププレート１の一部に設けられた操作部４と、操作部４の下方に設けられた光源６とをさらに有する。操作部４は、複数の静電スイッチにより構成される。各スイッチは、トッププレート１の下面に設けられた電極４１と、電極４１に対向するトッププレート１の一部分とによって、構成される。電極４１は、銅やカーボンなどの導電性物質により形成される。使用者が指で電極４１に対向するトッププレート１の上面に触れると、使用者の指とトッププレート１と電極４１とによりコンデンサが形成され、人体を介して接地されるため、電極４１の電圧が低下する。これにより、制御部８は、スイッチが押されたと判断できる。各スイッチには、誘導加熱調理器が有する種々の機能がそれぞれ割り当てられている。
【００２８】
光源６は、操作部４の複数のスイッチのそれぞれを照射する。光源６は、例えば発光ダイオードである。図１では、説明の便宜上光源を１つしか図示していないが、実際には、各スイッチ毎にその表示状態を制御できるように、スイッチ毎に１つの光源が設けられている。
【００２９】
制御部８は、導電性の端子などにより、操作部４の各電極４１のそれぞれと電気的に接続される。制御部８は、加熱制御部８ａと、光源６を制御することによりスイッチの表示状態を変化させるスイッチ表示制御部８ｂと、を有する。加熱制御部８ａは、スイッチを介して入力された機能に基づいて、加熱コイル７に高周波電流を供給することにより、加熱コイル７の加熱電力量を制御する。具体的には、使用者が調理容器５を加熱するために指で電極４１に対向するトッププレート１の上面に触れて、電極４１の電圧が所定電圧以下に低下すると、加熱制御部８ａはスイッチが押されたと判断して、スイッチに割り当てられた機能に基づいて加熱コイル７を制御する。
【００３０】
図２にトッププレート１の上面図を示す。トッププレート１の上面又は下面には、調理容器５の載置場所を示す、少なくとも１つ（本実施形態では２つ）の加熱部２が印刷により表示されている。加熱コイル７は、加熱部２の下方にそれぞれが配置される。加熱部２の手前側（使用者側）に表示部３が設けられる。表示部３は、加熱コイル７の出力の大きさ、タイマーの残り時間、及び調理メニューを識別するための記号などを表示する。調理メニューとは、例えば揚げ物、湯沸かし、及び炊飯である。操作部４は、表示部３の手前側（使用者側）に、加熱部２に対応させて設けられる。操作部４は、複数のスイッチ４ａ〜４ｅを含む。
【００３１】
操作部４において、スイッチ４ａ〜４ｅに割り当てられた機能を識別する文字や記号、及び使用者が押す領域を示すスイッチ４ａ〜４ｅの外枠は、光源６により発光する。具体的には、その文字や記号及び外枠は、スイッチ４ａ〜４ｅを構成する電極４１から予め切り抜かれている。光源６が下方からスイッチ４ａ〜４ｅを照射すると、光源６から放射された光が切り抜かれた記号や文字及び外枠部分、トッププレート１を通過する。これにより、使用者はスイッチ４ａ〜４ｅに割り当てられた機能及びスイッチ４ａ〜４ｅのそれぞれの領域を認識することができる。例えば、スイッチ４ｅの電極は、「加熱切／入」の文字及び外枠が切り抜かれている。光源６が下方からスイッチ４ｅを照射すると、光源６から放射された光がスイッチ４ｅの電極の切り抜かれた文字及び外枠部分、トッププレート１を通過する。これにより、使用者はスイッチ４ｅ（「加熱切／入」の文字及び外枠）を見て、スイッチ４ｅが調理の開始及び終了を制御する機能が割り当てられた切／入スイッチであることを視覚的に認識することができる。また、光源６を照射しないと、文字や記号及び外枠が表示されないので、使用者はスイッチを視覚的に認識できない。
【００３２】
［誘導加熱調理器の動作］
誘導加熱調理器の基本的な動作について説明する。使用者によりスイッチ４ａ〜４ｅから加熱開始や火力設定等が入力されると、加熱制御部８ａはこの入力に基づいて加熱コイル７に高周波電流を供給する。加熱コイル７に高周波電流が供給されると、加熱コイル７から誘導磁界が発せられ、トッププレート１上に載置された調理容器５が誘導加熱される。
【００３３】
［誘導加熱調理器のスイッチ表示］
本実施形態の誘導加熱調理器は、光源６を制御することによりスイッチの表示状態を変化させるスイッチ表示制御部８ｂに特徴の１つがある。本実施形態の誘導加熱調理器の操作部４におけるスイッチに対する光源の制御について、図３を用いて説明する。図３は、本発明の実施形態１の誘導加熱調理器による光源制御処理を示すフローチャートである。スイッチ表示制御部８ｂは、点灯中のスイッチが押されたか否かを判断する（Ｓ１）。具体的には、スイッチが押されるとスイッチの電極４１の電圧が低下するため、スイッチの電極４１の電圧が所定電圧以下に低下したか否かを判断する。スイッチが押されていないと判断している間は、ステップＳ１に戻る。スイッチが押されたと判断したときは、押されたスイッチに対応する光源６を消灯し（Ｓ２）、タイマを開始する（Ｓ３）。光源６を消灯することにより、対応するスイッチの文字や記号及び外枠の表示が消える。
【００３４】
スイッチが押されてから所定時間経過後（Ｓ４でＹｅｓ）、消灯していた光源６を再度点灯する（Ｓ５）。これにより、消えていたスイッチの文字や記号及び外枠が再度表示される。
【００３５】
従って、使用者はスイッチを押したとき、点灯しているスイッチの文字や記号及び外枠が所定時間だけ消えるため、スイッチを押し下げたという感覚（クリック感）に近い感覚を得ることができる。所定時間は、好ましくは０．１秒〜２秒に設定する。所定時間が短すぎると、使用者は文字等が消えたことに気付かないし、所定時間が長すぎると、使用者は調理器が壊れたと勘違いしてしまう。
【００３６】
本実施の形態の誘導加熱調理器は、スイッチを押したとき、所定時間スイッチの表示が消えるため、使用者はスイッチが押されたことを認識できる。このため、誤って隣のスイッチを押してしまった場合でも、その誤操作に気付きやすい。例えば、調理容器を加熱中に、加熱コイル７の出力を小さくするつもりで、隣の出力を大きくするスイッチを押してしまった場合でも、調理容器の中のものが噴きこぼれてしまう前に、使用者は誤操作に気付き出力を小さくする等の対応ができるので、調理に失敗してしまう可能性が低くなる。また、視覚的にスイッチの押が誘導加熱調理器に受け付けられたかを確認できるので、必要以上に長く押したり、強く押したりすることがなくなる。これにより、スイッチの操作性が向上する。
【００３７】
［変形例］
なお、本実施形態においてスイッチ表示制御部８ｂは、スイッチが押されてから所定時間、押されたスイッチの文字や記号及び外枠の表示を消すように光源６を制御したが、文字や記号は表示させたまま外枠のみを消すように制御してもよいし、または外枠は表示させたまま文字や記号のみを消すように制御してもよい。
【００３８】
または、本実施形態においてスイッチ表示制御部８ｂは、点灯中のスイッチが押されたとき、押されたスイッチに対応する光源を消灯し、スイッチが押されてから所定時間経過後、消灯していた光源を再度点灯したが、点灯中のスイッチが押されたとき、押されたスイッチに対応する光源の光量を増大させ、スイッチが押されてから所定時間経過後、光源の光量を元に戻してもよい。また逆に、点灯中のスイッチが押されたとき、押されたスイッチに対応する光源の光量を減少させ、スイッチが押されてから所定時間経過後、光源の光量を元に戻してもよい。
【００３９】
なお、本実施形態においてスイッチ表示制御部８ｂは、スイッチが押されてから所定時間、押されたスイッチに対応する光源を消灯し、スイッチが押されてから所定時間経過後、消灯していた光源を再度点灯したが、スイッチが押されてから所定時間、押されたスイッチに対応する光源を点滅させ、スイッチが押されてから所定時間経過後、光源を点灯に戻してもよい。
【００４０】
なお、本実施形態においてスイッチ表示制御部８ｂは、スイッチが押されてから所定時間経過後、消灯していた光源を再度点灯したが、スイッチが押されている間のみ光源を消灯し、使用者がスイッチから指を離したとき、消灯していた光源を再度点灯してもよい。また、スイッチが押されている間のみ光源の光量を増大させ、使用者がスイッチから指を離したとき、増大させた光量を元に戻してもよい。また逆に、スイッチが押されている間のみ光源の光量を減少させ、使用者がスイッチから指を離したとき、減少させた光量を元に戻してもよい。またさらに、スイッチが押されている間のみ光源を点滅させ、使用者がスイッチから指を離したとき、光源を点灯に戻してもよい。
【００４１】
なお、本実施形態において制御部８は、点灯中のスイッチが押されてから所定時間、押されたスイッチに対応する光源を消灯したが、スイッチが押されたときに、音声出力部（図１の破線３０）により音声を出力してもよい。また、上記光源制御と共に、スイッチが押されたときに、音声出力部３０により音声を出力してもよい。
【００４２】
実施形態２
本実施形態では、スイッチが押されてから所定時間、スイッチの表示の色が変化する誘導加熱調理器の構成を示す。
【００４３】
［誘導加熱調理器の構成］
図４に本発明の実施形態２による誘導加熱調理器の構成を示す。本実施形態による誘導加熱調理器は、１つのスイッチに対して２つの光源６１、６２を備える。なお、図４では説明の便宜上１つのスイッチに対する光源の構成を示している。
【００４４】
本実施形態の誘導加熱調理器は、操作部４の下方に、スイッチ毎に２つの光源（第１の光源６１及び第２の光源６２）を有する。第１の光源６１及び第２の光源６２は、異なる色を照射する光源である。
【００４５】
本実施形態による誘導加熱調理器の構成は、第１の光源６１及び第２の光源６２以外は実施形態１のものと同様であるため説明を省略する。
【００４６】
［誘導加熱調理器のスイッチ表示］
本実施形態の誘導加熱調理器において、スイッチ表示制御部８ｂは、使用者による操作を待っている間は、第１の光源６１によりスイッチを点灯させる。その後、使用者によりスイッチが押されたとき、そのスイッチに対応する第１の光源６１を消灯し、第２の光源６２を点灯し、スイッチが押されてから所定時間経過後に、第２の光源６２を消灯し、第１の光源６１を点灯する。従って、使用者はスイッチを押したとき、スイッチの文字や記号及び外枠の色が所定時間だけ変化するため、スイッチを押し下げたという感覚（クリック感）に近い感覚を得ることができる。所定時間は、好ましくは０．１秒〜２秒に設定する。所定時間が短すぎると、使用者は文字等が消えたことに気付かないし、所定時間が長すぎると、使用者は調理器が壊れたと勘違いしてしまう。
【００４７】
なお、本実施形態においてスイッチ表示制御部８ｂは、スイッチが押されてから所定時間経過後、第２の光源６２を消灯し、第１の光源６１を再度点灯したが、スイッチが押されている間のみ第２の光源６２を点灯し、使用者がスイッチから指を離したとき、第２の光源６２を消灯し、第１の光源６１を再度点灯してもよい。
【００４８】
なお、本実施の形態の上記光源制御と共に、スイッチが押されたときに、音声出力部（図１の破線３０）により音声を出力してもよい。
【００４９】
実施形態３
本実施形態では、スイッチが押されたとき、スイッチが実際に押し下げられたように表示される誘導加熱調理器の構成を示す。
【００５０】
［誘導加熱調理器の構成］
図５に本発明の実施形態３による誘導加熱調理器の構成を示す。本実施形態による誘導加熱調理器は、１つのスイッチに対して２つの光源６３、６４と１つの導光部９を備える。なお、図４では説明の便宜上１つのスイッチに対する光源の構成を示している。
【００５１】
本実施形態の誘導加熱調理器は、操作部４の下方に、スイッチ毎に２つの光源（第１の光源６３及び第２の光源６４）と、操作部４と光源６３、６４の間に、１つのスイッチに対して１つの導光部９と、を有する。第１の光源６３及び第２の光源６４は、同じ色を照射する光源であってもよいし、また異なる色を照射する光源であってもよい。導光部９は、光を通したい部分を上下方向にくり抜いた樹脂ブロックである。
【００５２】
図６（ａ）に導光部９の上面図を示す。領域１０、１１は、光源６３、６４の光を通すため上下方向にくり抜かれた穴の上面部分である。領域１０は第１の光源６３からの光を透過させる領域であり、領域１１は第２の光源６４からの光を透過させる領域である。領域１１は、領域１０より右下にずらして配置される。第１の光源６３がスイッチを照射すると、第１の光源６３から放射された光が領域１０から下方向にくり抜かれた穴を介して領域１０を通過し、領域１０が発光する。また、第２の光源６４がスイッチを照射すると、第２の光源６４から放射された光が領域１１から下方向にくり抜かれた穴を介して領域１１を通過し、領域１１が発光する。
【００５３】
図６（ｂ）にトッププレート１の上方から見たスイッチ４ｄを示す。第１の光源６３がスイッチを照射すると、第１の光源６３から放射された光は導光部９の領域１０、電極から切り抜かれた文字及び外枠部分、トッププレートを通過する。これにより、使用者は実線Ａのスイッチ（「メニュー」の文字及び外枠）を認識することができる。また、第２の光源６４がスイッチを照射すると、第２の光源６４から放射された光は導光部９の領域１１、電極から切り抜かれた文字及び外枠部分、トッププレートを通過する。これにより、使用者は破線Ｂのスイッチ（「メニュー」の文字及び外枠）を認識することができる。このようにスイッチの表示位置をシフトさせることで、スイッチが押されたことを表現している。
【００５４】
本実施形態による誘導加熱調理器の構成は、第１の光源６３、第２の光源６４及び導光部９以外は実施形態１のものと同様であるため説明を省略する。
【００５５】
［誘導加熱調理器のスイッチ表示］
本実施形態の誘導加熱調理器の操作部４におけるスイッチに対する光源の制御について、図７を用いて説明する。図７は、本発明の実施形態３の誘導加熱調理器による光源制御処理を示すフローチャートである。スイッチ表示制御部８ｂは、第１の光源６３によりスイッチを点灯させる。その後、使用者によりスイッチが押されたか否かを判断する（Ｓ１）。具体的には、スイッチが押されるとスイッチの電極４１の電圧が低下するため、スイッチの電極４１の電圧が所定電圧以下に低下したか否かを判断する。スイッチが押されていないと判断している間は、ステップＳ１に戻る。スイッチが押されたと判断したときは、押されたスイッチに対応する第１の光源６３を消灯し（Ｓ２Ａ）、押されたスイッチに対応する第２の光源６４を点灯し（Ｓ２Ｂ）、タイマを開始する（Ｓ３）。第１の光源６３を消灯し、第２の光源６４を点灯することにより、対応するスイッチの文字や記号及び外枠の表示が領域１０から領域１１に移動する。例えば、図６（ｂ）のように、使用者には実線Ａのスイッチが破線Ｂの位置に移動したように見える、すなわち、スイッチが右下に移動したように見える。
【００５６】
スイッチが押されてから所定時間経過後（Ｓ４でＹｅｓ）、第２の光源６４を消灯し（Ｓ５Ａ）、第１の光源６３を再度点灯する（Ｓ５Ｂ）。これにより、スイッチの文字や記号及び外枠の表示が領域１１から領域１０に戻る、すなわち、押す前の状態に戻る。
【００５７】
図８に、操作部４のスイッチ４ａ〜４ｅの表示例を示す。誘導加熱調理器の電源が入れられ、スイッチ４ａ〜４ｅが押されていないときは、図８（ａ）に示すように、スイッチ４ａ〜４ｅの文字や記号及び外枠は、１列に等間隔で表示される。例えば、使用者がスイッチ４ｄを押すと、図８（ｂ）に示すように、スイッチ４ｄの文字及び外枠は、使用者から見て右下に少しだけ（破線のスイッチ位置から実線のスイッチ位置まで）移動する。スイッチ４ｄが押されてから所定時間経過後、図８（ａ）に示すように、スイッチ４ｄの文字及び外枠は、元の位置に戻る。
【００５８】
従って、使用者はスイッチを押したとき、押したスイッチの文字や記号及び外枠が所定時間だけ右下に移動するため、スイッチが実際に押し下げられたように感じ、立体的なスイッチを押し下げたときの感覚に近い感覚を得ることができる。所定時間は、好ましくは０．１秒〜２秒である。所定時間が短すぎると、使用者は文字等が消えたことに気付かないし、所定時間が長すぎると、使用者は調理器が壊れたと勘違いしてしまう。
【００５９】
本実施の形態の誘導加熱調理器によっても、使用者はスイッチが押されたことを認識できる。このため、誤って隣のスイッチを押してしまった場合でも、その誤操作に気付きやすい。例えば、調理容器を加熱中に、加熱コイル７の出力を小さくするつもりで、隣の出力を大きくするスイッチを押してしまった場合でも、調理容器の中のものが噴きこぼれてしまう前に、使用者は誤操作に気付き出力を小さくする等の対応ができるので、調理に失敗してしまう可能性が低くなる。また、視覚的にスイッチの押が誘導加熱調理器に受け付けられたかを確認できるので、必要以上に長く押したり、強く押したりすることがなくなる。これにより、スイッチの操作性が向上する。
【００６０】
なお、本実施形態において導光部９は樹脂ブロックであるが、他の光を通さない素材であってもよい。
【００６１】
なお、本実施形態においてスイッチ表示制御部８ｂは、スイッチが押されてから所定時間経過後、第２の光源６４を消灯し、第１の光源６３を再度点灯したが、スイッチが押されている間のみ第２の光源６４を点灯し、使用者がスイッチから指を離したとき、第２の光源６４を消灯し、第１の光源６３を再度点灯してもよい。
【００６２】
なお、本実施形態の上記光源制御と共に、スイッチが押されたときに、音声出力部（図１の破線３０）により音声を出力してもよい。
【００６３】
本発明においては「スイッチが押されてから所定時間経過後」と記述しているが、厳密には、制御部８がスイッチが押されたことを感知してから所定時間経過後である。
【産業上の利用可能性】
【００６４】
本発明による誘導加熱調理器は、使用者が静電スイッチを押したときに、押し下げたという感覚に近い感覚を得ることができるという効果を有し、一般家庭などで使用される誘導加熱調理器に有用である。
【符号の説明】
【００６５】
１    トッププレート
２    加熱部
３    表示部
４    操作部
４ａ〜４ｅ  スイッチ
５    調理容器
６、６ｂ、６ｃ  光源
６１、６３  第１の光源
６２、６４  第２の光源
７    加熱コイル
８    制御部
８ａ  加熱制御部
８ｂ  スイッチ表示制御部
９    導光部
【図１】
0005526204.tif 000002
【図２】
0005526204.tif 000003
【図３】
0005526204.tif 000004
【図４】
0005526204.tif 000005
【図５】
0005526204.tif 000006
【図６】
0005526204.tif 000007
【図７】
0005526204.tif 000008
【図８】
0005526204.tif 000009